(57)【要約】【課題】識別機構部を開いても容易にセンサの種類および配置が分からないようにした紙幣識別装置を提供すること。【解決手段】保守目的に開閉できる構造の識別機構部３において、識別機構部３を閉じたときに、搬送されてくる紙幣を挟んでその両側に配置されて紙幣の真贋判定を行うセンサを覆い隠すように、正面センサカバー７および背面センサカバー８を設けた。これにより、識別機構部３を開放しても、センサの種類および配置を見ることができなくなり、センサの種類および配置に合わせた偽造紙幣の作成を困難にする。この結果、偽造紙幣を排除できる信頼度の高い紙幣識別装置１が提供される。【選択図】　　　　図２
2004086563.tif 000002
【特許請求の範囲】
【請求項１】
投入された紙幣を識別する識別機構部および識別された紙幣を収納する収納機構部をフレーム部に装着してなる紙幣識別装置において、
前記識別機構部内の紙幣搬送面に紙幣の真贋を判定する各センサを覆って前記識別機構部を開けたときに前記センサが外部から見えないようにしたカバーを備えていることを特徴とする紙幣識別装置。
【請求項２】
前記センサは、カラーセンサ、反射センサおよび磁気センサを含んでいることを特徴とする請求項１記載の紙幣識別装置。
【請求項３】
前記カバーは、前記センサの特性を妨げない分光特性をもった材質からなるものであることを特徴とする請求項１記載の紙幣識別装置。
【請求項４】
投入された紙幣を識別する識別機構部および識別された紙幣を収納する収納機構部をフレーム部に装着してなる紙幣識別装置において、
前記識別機構部内の紙幣搬送面に設けられて紙幣の真贋を判定するセンサと、
前記紙幣搬送面に設けられ前記センサと同じ外観を有する擬似センサと、
を備えていることを特徴とする紙幣識別装置。
【発明の詳細な説明】
【０００１】
【発明の属する技術分野】
本発明は紙幣識別装置に関し、特に自動販売機などにおいて投入された紙幣を識別して収納する処理を行うことができる紙幣識別装置に関する。
【０００２】
【従来の技術】
自動販売機などにおいては、投入された紙幣を紙幣識別装置が識別して、正しく識別できた場合には収納し、正しく識別できなかった場合には返却するという処理を行っている。
【０００３】
図４は従来の紙幣識別装置のセンサ配置構造を説明した斜視図である。
紙幣識別装置１０１は、フレーム部１０２に設けられた識別機構部１０３を備えている。識別機構部１０３は、投入された紙幣を搬送する紙幣搬送部を有し、その紙幣搬送部には、紙幣の特徴を抽出するための各種センサが設けられている。この図４では、各種センサの配置を示すために、識別機構部１０３を開いた状態で示している。
【０００４】
この識別機構部１０３によれば、識別機構部１０３を閉じたときに、搬送されてくる紙幣を挟んでその両側に配置されるカラーセンサ１０４、反射センサ１０５および磁気センサ１０６が設けられている。
【０００５】
これらカラーセンサ１０４、反射センサ１０５および磁気センサ１０６は固定されているので、投入された紙幣が紙幣搬送部により搬送されることによって、紙幣の特定の識別ラインが検出され、それぞれの識別ラインで検出されたデータを処理して紙幣の真贋を判定している。
【０００６】
【発明が解決しようとする課題】
しかしながら、従来の紙幣識別装置では、装置の保守目的として、識別機構部が開閉する構造になっており、容易にセンサの種類および配置が見えるため、その装置の弱点に合わせた偽造紙幣が作られ、不正行為が行われるという問題点があった。
【０００７】
本発明はこのような点に鑑みてなされたものであり、識別機構部を開いても容易にセンサの種類および配置が分からないようにした紙幣識別装置を提供することを目的とする。
【０００８】
【課題を解決するための手段】
本発明では上記問題を解決するために、投入された紙幣を識別する識別機構部および識別された紙幣を収納する収納機構部をフレーム部に装着してなる紙幣識別装置において、前記識別機構部内の紙幣搬送面に紙幣の真贋を判定する各センサを覆って前記識別機構部を開けたときに前記センサが外部から見えないようにしたカバーを備えていることを特徴とする紙幣識別装置が提供される。
【０００９】
このような紙幣識別装置によれば、識別機構部内の各センサの紙幣搬送面にカバーを取り付けるようにした。これにより、識別機構部を開けたときにセンサが外部から見えなくなり、装置の弱点を悪意を持った人間に容易に見破られない構造にすることができる。
【００１０】
また、本発明によれば、投入された紙幣を識別する識別機構部および識別された紙幣を収納する収納機構部をフレーム部に装着してなる紙幣識別装置において、前記識別機構部内の紙幣搬送面に設けられて紙幣の真贋を判定するセンサと、前記紙幣搬送面に設けられ前記センサと同じ外観を有する擬似センサと、を備えるようにした。
【００１１】
これにより、識別機構部を開けたときに正常に機能しているセンサと何ら機能していないセンサとが混在していて、識別ラインが分からなくなり、装置の弱点を容易に見破られない構造にすることができる。
【００１２】
【発明の実施の形態】
以下、本発明の実施の形態を図面を参照して詳細に説明する。
図１は本発明による紙幣識別装置の構成を示す断面図、図２は本発明の第１の実施の形態に係る紙幣識別装置を示す識別機構開放状態の斜視図である。
【００１３】
紙幣識別装置１は、フレーム部２に識別機構部３および収納機構部４を設けて構成される。識別機構部３は、紙幣投入口５より投入された紙幣を搬送する紙幣搬送部６を有している。この紙幣搬送部６は、紙幣搬送路を挟んで対向する位置に複数のセンサ、具体的には、カラーセンサ、反射センサおよび磁気センサが設けられている。これらのセンサは、搬送されてくる紙幣の特定の識別ライン上にある紙幣の特徴を検出し、検出されたデータを処理して紙幣の金種および真贋を判定している。この判定処理の途中または判定処理が終了した後で投入された紙幣を正しく識別できなかった場合、その時点で紙幣搬送部６を逆転動作させて、投入された紙幣を紙幣投入口５へ返却する。
【００１４】
収納機構部４は、識別機構部３による判定の結果、投入された紙幣を正しく識別できた場合には、その紙幣を識別機構部３の紙幣搬送部６の延長上にある紙幣搬送路に取り込み、取り込んだ紙幣をプッシャと呼ばれる機構によって紙幣搬送路から紙幣収納庫に押し込むようにし、これによって紙幣収納庫に積層状態で収納する。
【００１５】
識別機構部３は、紙幣の詰まり、識別エラーの増加などに対処するために、紙幣搬送部６を露出させて詰まった紙幣の除去あるいは清掃などの保守ができるよう、図２に示したように、開閉できる構造になっている。
【００１６】
本発明による紙幣識別装置１では、識別機構部３の紙幣搬送面に正面センサカバー７および背面センサカバー８を取り付けている。これら正面センサカバー７および背面センサカバー８は、投入された紙幣の真贋判定を行うためのカラーセンサ、反射センサおよび磁気センサを覆い隠すように取り付けられており、識別機構部３を開放しても外部から直接見ることができないようにしている。これにより、識別機構部３を開放したとしても、センサ自信およびセンサの配置を見ることができないため、この識別機構部３が検出している識別ラインの位置およびその識別ラインを検出するセンサの種類を読み取られることがない。
【００１７】
センサは、正面センサカバー７および背面センサカバー８を介して紙幣の識別ラインを検出するので、これら正面センサカバー７および背面センサカバー８は、センサの特性を妨げない分光特性をもった材質のフィルタで構成されている。
また、磁気センサについては、好ましくは、従来の磁気ヘッドからＭＲ（磁気抵抗）素子に変更し、表面に姿が見えないようにしている。
【００１８】
図３は本発明の第２の実施の形態に係る紙幣識別装置を示す識別機構開放状態の斜視図である。なお、図３において、図１および図２に示した構成要素と同じ構成要素については、同じ符号を付してその詳細な説明は省略する。
【００１９】
この第２の実施の形態に係る紙幣識別装置１では、投入された紙幣の真贋判定を行うためのセンサの位置および種類を隠蔽するのではなく、ダミーのセンサを設けて、外観からはどのセンサが機能しているか分からないようにしている。
【００２０】
すなわち、識別機構部３は、紙幣の搬送方向に対して直角方向に複数のカラーセンサ１０、複数の反射センサ１１および複数の磁気センサ１２が配置されている。複数のカラーセンサ１０のうち、いくつかはセンサとして機能させ、残りは単に取り付けられているだけでセンサとして機能しない擬似カラーセンサにしている。複数の反射センサ１１についても、いくつかはセンサとして機能させ、残りはセンサとして機能しない擬似反射センサにしている。そして、複数の磁気センサ１２についても、いくつかはセンサとして機能させ、残りはセンサとして機能しない擬似磁気センサにしている。
【００２１】
このように、それぞれ外観が同じカラーセンサ１０、反射センサ１１および磁気センサ１２を複数配置し、そのうちのいくつかは、センサとして機能しないようにしたことにより、識別機構部３を開放したときの外観からは悪意を持った人間によりセンサの位置および種類が容易に判断されることができなくなり、不正行為を未然に防ぐことができる。
【００２２】
【発明の効果】
以上説明したように、本発明では、紙幣の真贋判定のためのセンサをカバーで覆い隠す構成にした。これにより、識別機構部を開放したときに、センサの種類および配置がカバーによって見えなくなり、したがって、センサの種類および配置に合わせた偽造紙幣の作成を困難にすることから、偽造紙幣を排除できる信頼度の高い紙幣識別装置を提供できる。
【００２３】
また、本発明では、紙幣の真贋判定のためのセンサに加えて同じ外観を有する擬似センサを設ける構成にした。これにより、識別機構部を開放したときに、紙幣の真贋判定に必要なセンサの種類および配置を知ることができないため、センサの種類および配置に合わせた偽造紙幣の作成を困難にすることから、偽造紙幣を排除できる信頼度の高い紙幣識別装置を提供できるようになる。
【図面の簡単な説明】
【図１】本発明による紙幣識別装置の構成を示す断面図である。
【図２】本発明の第１の実施の形態に係る紙幣識別装置を示す識別機構開放状態の斜視図である。
【図３】本発明の第２の実施の形態に係る紙幣識別装置を示す識別機構開放状態の斜視図である。
【図４】従来の紙幣識別装置のセンサ配置構造を説明した斜視図である。
【符号の説明】
１　紙幣識別装置
２　フレーム部
３　識別機構部
４　収納機構部
５　紙幣投入口
６　紙幣搬送部
７　正面センサカバー
８　背面センサカバー
１０　カラーセンサ
１１　反射センサ
１２　磁気センサ
【図１】
2004086563.tif 000003
【図２】
2004086563.tif 000004
【図３】
2004086563.tif 000005
【図４】
2004086563.tif 000006